(57)【要約】【課題】携帯装置の内部に設置し、４７０ＭＨｚ〜８７０ＭＨｚのデジタルテレビジョン周波数帯を受信することができる上、内蔵型デジタルテレビジョンアンテナを立体構造にすることにより、携帯装置中の占有空間を低減させる。【解決手段】内蔵型デジタルテレビジョンアンテナ１００は、接地板１５０を有する携帯装置に内蔵させることが可能である。内蔵型デジタルテレビジョンアンテナ１００は、携帯装置の接地板１５０と接触された接地点１２４と、少なくとも１つの折り曲げ部１２２とを有する階段状の寄生金属アーム１２０と、略矩形状である金属本体１３２と、信号給電点１３４とを有し、４７０ＭＨｚ〜８７０ＭＨｚのデジタルテレビジョン周波数帯を受信する信号給電金属アーム１３０と、を備える。【選択図】図１
2010016790.tif 000002
【特許請求の範囲】
【請求項１】
接地板を有する携帯装置に内蔵させることが可能な内蔵型デジタルテレビジョンアンテナであって、
前記携帯装置の前記接地板と接触された接地点と、少なくとも１つの折り曲げ部とを有する階段状の寄生金属アームと、
略矩形状である金属本体と、信号給電点とを有し、４７０ＭＨｚ〜８７０ＭＨｚのデジタルテレビジョン周波数帯を受信する信号給電金属アームと、を備えることを特徴とする内蔵型デジタルテレビジョンアンテナ。
【請求項２】
前記信号給電金属アームは、前記寄生金属アームと共平面で、前記接地板と前記寄生金属アームとの間に設けられることを特徴とする請求項１に記載の内蔵型デジタルテレビジョンアンテナ。
【請求項３】
前記信号給電金属アームは、前記寄生金属アームと非共平面に設けられ、前記寄生金属アームの一部が前記信号給電金属アームに対して垂直に折り曲げられていることを特徴とする請求項１に記載の内蔵型デジタルテレビジョンアンテナ。
【請求項４】
前記寄生金属アームの延伸長さは、前記信号給電金属アームの延伸長さよりも長いことを特徴とする請求項１に記載の内蔵型デジタルテレビジョンアンテナ。
【請求項５】
接地板を有する携帯装置に内蔵させることが可能な内蔵型デジタルテレビジョンアンテナであって、
非金属基板と、
前記非金属基板上に形成され、前記携帯装置の前記接地板と接続された接地点と、折り曲げ部とを有する階段状の寄生金属アームと、
前記非金属基板上に配置され、略矩形状である金属本体と、信号給電点とを有し、４７０ＭＨｚ〜８７０ＭＨｚのデジタルテレビジョン周波数帯を受信する信号給電金属アームと、を備えることを特徴とする内蔵型デジタルテレビジョンアンテナ。
【請求項６】
前記寄生金属アームおよび前記信号給電金属アームは、前記非金属基板の同一面に設けられ、
前記信号給電金属アームは、前記接地板と前記寄生金属アームとの間に設けられることを特徴とする請求項５に記載の内蔵型デジタルテレビジョンアンテナ。
【請求項７】
前記寄生金属アームと前記信号給電金属アームとは、前記非金属基板の両面にそれぞれ設けられることを特徴とする請求項５に記載の内蔵型デジタルテレビジョンアンテナ。
【請求項８】
前記非金属基板は、前記寄生金属アームを貫設させるために用いる複数の貫通孔を有することを特徴とする請求項５に記載の内蔵型デジタルテレビジョンアンテナ。
【請求項９】
前記信号給電金属アームは、前記寄生金属アームと共平面で、前記接地板と前記寄生金属アームとの間に設けられることを特徴とする請求項５に記載の内蔵型デジタルテレビジョンアンテナ。
【請求項１０】
前記信号給電金属アームは、前記寄生金属アームと非共平面で設けられるとともに、前記寄生金属アームの一部が前記信号給電金属アームに対して垂直に折り曲げられていることを特徴とする請求項５に記載の内蔵型デジタルテレビジョンアンテナ。
【請求項１１】
前記寄生金属アームの延伸長さは、前記信号給電金属アームの延伸長さよりも長いことを特徴とする請求項５に記載の内蔵型デジタルテレビジョンアンテナ。
【請求項１２】
接地板を有する携帯装置に内蔵させることが可能な内蔵型デジタルテレビジョンアンテナであって、
前記接地板に隣接した第１の側部を有する非金属基板と、
前記非金属基板上に形成され、前記第１の側部と接触されていない少なくとも１つの折り曲げ部と、前記携帯装置の前記接地板と接続され、前記第１の側部に設けられた接地点と、を有する階段状の寄生金属アームと、
前記非金属基板上に配置され、前記第１の側部と接触されていない略矩形状の金属本体と、信号給電点とを有し、４７０ＭＨｚ〜８７０ＭＨｚのデジタルテレビジョン周波数帯を受信する信号給電金属アームと、を備えることを特徴とする内蔵型デジタルテレビジョンアンテナ。
【請求項１３】
前記寄生金属アームおよび前記信号給電金属アームは、前記非金属基板の同一面に形成され、
前記信号給電金属アームは、前記接地板と前記寄生金属アームとの間に設けられることを特徴とする請求項１２に記載の内蔵型デジタルテレビジョンアンテナ。
【請求項１４】
前記寄生金属アームと前記信号給電金属アームとは、前記非金属基板の両面にそれぞれ形成されることを特徴とする請求項１２に記載の内蔵型デジタルテレビジョンアンテナ。
【請求項１５】
前記非金属基板は、前記寄生金属アームを貫設させるために用いる複数の貫通孔を有することを特徴とする請求項１２に記載の内蔵型デジタルテレビジョンアンテナ。
【請求項１６】
前記信号給電金属アームは、前記寄生金属アームと共平面で、前記接地板と前記寄生金属アームとの間に設けられることを特徴とする請求項１２に記載の内蔵型デジタルテレビジョンアンテナ。
【請求項１７】
前記信号給電金属アームは、前記寄生金属アームと非共平面で設けられるとともに、前記寄生金属アームの一部が前記信号給電金属アームに対して垂直に折り曲げられていることを特徴とする請求項１２に記載の内蔵型デジタルテレビジョンアンテナ。
【発明の詳細な説明】
【技術分野】
【０００１】
本発明はデジタルテレビジョンアンテナに関し、特に、携帯装置に内蔵することが可能な内蔵型デジタルテレビジョンアンテナに関する。
【背景技術】
【０００２】
科学技術の発展に伴い、通信技術の中心は有線通信技術から無線通信技術に変わってきている。また、信号の伝達媒体は、従来の有形の金属ライン（例えば、同軸ケーブル）から空気を伝達媒体とする無線通信に変わってきており、無線通信装置が電磁波信号の送受信を行う箇所はアンテナである。
【０００３】
デジタルテレビジョンの動作周波数は、４７０ＭＨｚ〜８７０ＭＨｚの間であり、一般にアンテナのほとんどは、その物理的サイズから携帯装置、手持ち式装置やノート型パソコンなどの筐体内部に内蔵させることができなかった。そのため、外力によりアンテナが損壊したり、ラインの増設による余計な負担が発生したり、携帯性が悪いなどの様々な問題が発生することがあった。そのため、従来の外付けアンテナは、無線通信に利用するには不向きであった。
【発明の開示】
【発明が解決しようとする課題】
【０００４】
そのため、携帯型製品の筐体内部に内蔵させることが可能で、無線移動性に優れた内蔵型デジタルテレビジョンアンテナが求められていた。
【０００５】
本発明の目的は、携帯装置の中に設置し、デジタルテレビジョン信号を受信することが可能な内蔵型デジタルテレビジョンアンテナを提供することにある。
【課題を解決するための手段】
【０００６】
（１）  接地板を有する携帯装置に内蔵させることが可能な内蔵型デジタルテレビジョンアンテナであって、前記携帯装置の前記接地板と接触された接地点と、少なくとも１つの折り曲げ部とを有する階段状の寄生金属アームと、略矩形状である金属本体と、信号給電点とを有し、４７０ＭＨｚ〜８７０ＭＨｚのデジタルテレビジョン周波数帯を受信する信号給電金属アームと、を備えることを特徴とする内蔵型デジタルテレビジョンアンテナ。
【０００７】
（２）  前記信号給電金属アームは、前記寄生金属アームと共平面で、前記接地板と前記寄生金属アームとの間に設けられることを特徴とする（１）に記載の内蔵型デジタルテレビジョンアンテナ。
【０００８】
（３）  前記信号給電金属アームは、前記寄生金属アームと非共平面に設けられ、前記寄生金属アームの一部が前記信号給電金属アームに対して垂直に折り曲げられていることを特徴とする（１）に記載の内蔵型デジタルテレビジョンアンテナ。
【０００９】
（４）  前記寄生金属アームの延伸長さは、前記信号給電金属アームの延伸長さよりも長いことを特徴とする（１）に記載の内蔵型デジタルテレビジョンアンテナ。
【００１０】
（５）  接地板を有する携帯装置に内蔵させることが可能な内蔵型デジタルテレビジョンアンテナであって、非金属基板と、前記非金属基板上に形成され、前記携帯装置の前記接地板と接続された接地点と、折り曲げ部とを有する階段状の寄生金属アームと、前記非金属基板上に配置され、略矩形状である金属本体と、信号給電点とを有し、４７０ＭＨｚ〜８７０ＭＨｚのデジタルテレビジョン周波数帯を受信する信号給電金属アームと、を備えることを特徴とする内蔵型デジタルテレビジョンアンテナ。
【００１１】
（６）  前記寄生金属アームおよび前記信号給電金属アームは、前記非金属基板の同一面に設けられ、前記信号給電金属アームは、前記接地板と前記寄生金属アームとの間に設けられることを特徴とする（５）に記載の内蔵型デジタルテレビジョンアンテナ。
【００１２】
（７）  前記寄生金属アームと前記信号給電金属アームとは、前記非金属基板の両面にそれぞれ設けられることを特徴とする（５）に記載の内蔵型デジタルテレビジョンアンテナ。
【００１３】
（８）  前記非金属基板は、前記寄生金属アームを貫設させるために用いる複数の貫通孔を有することを特徴とする（５）に記載の内蔵型デジタルテレビジョンアンテナ。
【００１４】
（９）  前記信号給電金属アームは、前記寄生金属アームと共平面で、前記接地板と前記寄生金属アームとの間に設けられることを特徴とする（５）に記載の内蔵型デジタルテレビジョンアンテナ。
【００１５】
（１０）  前記信号給電金属アームは、前記寄生金属アームと非共平面で設けられるとともに、前記寄生金属アームの一部が前記信号給電金属アームに対して垂直に折り曲げられていることを特徴とする（５）に記載の内蔵型デジタルテレビジョンアンテナ。
【００１６】
（１１）  前記寄生金属アームの延伸長さは、前記信号給電金属アームの延伸長さよりも長いことを特徴とする（５）に記載の内蔵型デジタルテレビジョンアンテナ。
【００１７】
（１２）  接地板を有する携帯装置に内蔵させることが可能な内蔵型デジタルテレビジョンアンテナであって、前記接地板に隣接した第１の側部を有する非金属基板と、前記非金属基板上に形成され、前記第１の側部と接触されていない少なくとも１つの折り曲げ部と、前記携帯装置の前記接地板と接続され、前記第１の側部に設けられた接地点と、を有する階段状の寄生金属アームと、前記非金属基板上に配置され、前記第１の側部と接触されていない略矩形状の金属本体と、信号給電点とを有し、４７０ＭＨｚ〜８７０ＭＨｚのデジタルテレビジョン周波数帯を受信する信号給電金属アームと、を備えることを特徴とする内蔵型デジタルテレビジョンアンテナ。
【００１８】
（１３）  前記寄生金属アームおよび前記信号給電金属アームは、前記非金属基板の同一面に形成され、前記信号給電金属アームは、前記接地板と前記寄生金属アームとの間に設けられることを特徴とする（１２）に記載の内蔵型デジタルテレビジョンアンテナ。
【００１９】
（１４）  前記寄生金属アームと前記信号給電金属アームとは、前記非金属基板の両面にそれぞれ形成されることを特徴とする（１２）に記載の内蔵型デジタルテレビジョンアンテナ。
【００２０】
（１５）  前記非金属基板は、前記寄生金属アームを貫設させるために用いる複数の貫通孔を有することを特徴とする（１２）に記載の内蔵型デジタルテレビジョンアンテナ。
【００２１】
（１６）  前記信号給電金属アームは、前記寄生金属アームと共平面で、前記接地板と前記寄生金属アームとの間に設けられることを特徴とする（１２）に記載の内蔵型デジタルテレビジョンアンテナ。
【００２２】
（１７）  前記信号給電金属アームは、前記寄生金属アームと非共平面で設けられるとともに、前記寄生金属アームの一部が前記信号給電金属アームに対して垂直に折り曲げられていることを特徴とする（１２）に記載の内蔵型デジタルテレビジョンアンテナ。
【発明の効果】
【００２３】
本発明の内蔵型デジタルテレビジョンアンテナは、携帯装置の内部に設置し、４７０ＭＨｚ〜８７０ＭＨｚのデジタルテレビジョン周波数帯を受信することができる上、内蔵型デジタルテレビジョンアンテナを立体構造にすることにより、携帯装置内部を占有する空間を低減させることができる。
【発明を実施するための最良の形態】
【００２４】
本発明の内蔵型デジタルテレビジョンアンテナは、携帯装置の筐体内に設置し、４７０ＭＨｚ〜８７０ＭＨｚのデジタルテレビジョンの周波数帯を受信することができる。ここで、この携帯装置は、ノート型パソコン、ミニパソコンまたはその他デジタルテレビジョン信号を受信することが可能な携帯装置でもよい。
【００２５】
（第１実施形態）
図１を参照する。図１は、本発明の第１実施形態による内蔵型デジタルテレビジョンアンテナ１００を示す斜視図である。内蔵型デジタルテレビジョンアンテナ１００は、非金属基板１１０、信号給電金属アーム１３０および寄生金属アーム１２０を含む。信号給電金属アーム１３０および寄生金属アーム１２０は、非金属基板１１０上に設けられている。内蔵型デジタルテレビジョンアンテナ１００は、携帯装置が有する接地板１５０を共有し、接地されてもよい。例えば、携帯装置がノート型パソコンである場合、接地板１５０とは、液晶表示パネルの背後に設けられた接地板のことである。
【００２６】
非金属基板１１０は、接地板１５０に隣接した第１の側部１１２を含む。信号給電金属アーム１３０は、寄生金属アーム１２０と第１の側部１１２との間に配置されている。寄生金属アーム１２０は、１つの折り曲げ部１２２を含んだ略逆Ｌ字状でもよい。寄生金属アーム１２０は、第１の側部１１２に位置し、携帯装置の接地板１５０と接続された接地点１２４を含み、接地を行ってもよい。信号給電金属アーム１３０は、金属本体１３２および信号給電点１３４を含む。金属本体１３２は、略矩形状であり、第１の側部１１２とは接触されていない。金属本体１３２は、接地板１５０の方向に延伸された延伸部１３６を含み、信号給電金属アーム１３０は略逆Ｌ字状でもよい。信号給電点１３４は、延伸部１３６上に位置してもよい。
【００２７】
第１実施形態では、信号給電金属アーム１３０および寄生金属アーム１２０は、非金属基板１１０の同一面に形成されている。信号給電金属アーム１３０と寄生金属アーム１２０とは共平面で設けられてもよい。非金属基板１１０上に信号給電金属アーム１３０および寄生金属アーム１２０を形成する方法は、印刷またはエッチング技術により行ってもよい。好適には、寄生金属アーム１２０の延伸長さＬ１は、信号給電金属アーム１３０の延伸長さＬ２よりも長い。また、寄生金属アーム１２０が対応する波長は、１／４波長であり、中心周波数は６００ＭＨｚである。
【００２８】
図２を参照する。図２は、本発明の第１実施形態による内蔵型デジタルテレビジョンアンテナ１００のリターンロスの測定結果を示すグラフである。第１実施形態として、以下のサイズのものを使用して、測定を行った。接地板１５０は、長さが３００ｍｍ、幅が２５０ｍｍの矩形構造であり、信号給電金属アーム１３０は、延伸長さが約５０．５ｍｍ、幅が約１０ｍｍの矩形状の金属チップであった。寄生金属アーム１２０は、長さが約１００ｍｍの矩形状の金属チップから、延伸長さが約６４ｍｍ、幅が約１２．５ｍｍのサイズでカットされた階段状の構造であり、接地点１２４は、接地板１５０と電気的に接続されている。
【００２９】
本発明の第１実施形態による内蔵型デジタルテレビジョンアンテナ１００は、４７０ＭＨｚ〜８７０ＭＨｚのデジタルテレビジョンの周波数帯を受信するために用いる。実験結果から分かるように、内蔵型デジタルテレビジョンアンテナ１００は、４７０ＭＨｚ〜８７０ＭＨｚのデジタルテレビジョンの周波数帯下におけるインピーダンス帯域幅を−６ｄＢよりも小さく維持させることができる。そのため、この内蔵型デジタルテレビジョンアンテナ１００は、好適な輻射特性を得ることができる。
【００３０】
図３を参照する。図３は、本発明の第１実施形態による内蔵型デジタルテレビジョンアンテナ１００の帯域と効率との関係を表すグラフである。上述したように、第１実施形態による内蔵型デジタルテレビジョンアンテナ１００は、４７０ＭＨｚ〜８７０ＭＨｚのデジタルテレビジョンの周波数帯を受信するために用いる。実験結果から分かるように、内蔵型デジタルテレビジョンアンテナ１００は、４７０ＭＨｚ〜８７０ＭＨｚのデジタルテレビジョンの周波数帯のもとで、約５０％以上の効率を維持させることができる。そのため、第１実施形態の内蔵型デジタルテレビジョンアンテナ１００は、好適な動作性能を得ることができる。
【００３１】
（第２実施形態）
図４を参照する。図４は、本発明の第２実施形態による内蔵型デジタルテレビジョンアンテナ２００を示す斜視図である。内蔵型デジタルテレビジョンアンテナ２００の信号給電金属アーム２３０および寄生金属アーム２２０は、非金属基板２１０の両面にそれぞれ形成されている。信号給電金属アーム２３０と寄生金属アーム２２０とは、非共面で設けられている。信号給電金属アーム２３０は、第１の側部２１２と所定の間隔がおかれ、非金属基板２１０の接地板２５０に近い箇所に設けられている。信号給電金属アーム２３０の金属本体２３２は略矩形状であり、信号給電点２３４は、金属本体２３２と重ねてもよい。寄生金属アーム２２０は、複数の折り曲げ部２２２を含んだ階段状でもよい。
【００３２】
（第３実施形態）
図５を参照する。図５は、本発明の第３実施形態による内蔵型デジタルテレビジョンアンテナ３００を示す斜視図である。内蔵型デジタルテレビジョンアンテナ３００の寄生金属アーム３２０および信号給電金属アーム３３０は、非金属基板３１０の同一面に設けられてもよい。寄生金属アーム３２０は、直線状に配列された複数の折り曲げ部３２２を含んだ略逆Ｌ字状でもよい。
【００３３】
（第４実施形態）
図６を参照する。図６は、本発明の第４実施形態による内蔵型デジタルテレビジョンアンテナ４００を示す斜視図である。第４実施形態の内蔵型デジタルテレビジョンアンテナ４００は、携帯装置内部の限られた空間を有効に利用するために、立体的な構造にしてもよい。第４実施形態の信号給電金属アーム４３０と寄生金属アーム４２０とは、非金属基板４１０の同一面または異なる面に（本実施形態では同一面に設けられている）、非共平面で設けられている。内蔵型デジタルテレビジョンアンテナ４００は、占有空間を低減させるために、寄生金属アームの一部４２５を信号給電金属アーム４３０に対して垂直に折り曲げて立体的なアンテナ構造にしてもよい。
【００３４】
（第５実施形態）
図７を参照する。図７は、本発明の第５実施形態による内蔵型デジタルテレビジョンアンテナ５００を示す斜視図である。非金属基板５１０には、寄生金属アーム５２０を貫設させることが可能な複数の貫通孔５１４が設けられている。寄生金属アーム５２０は、非金属基板５１０の両面を行ったり来たりするように貫設されている。そのため、寄生金属アーム５２０の一部は、信号給電金属アーム５３０と同じ面に設けられ、寄生金属アーム５２０の残りの部分は、信号給電金属アーム５３０と異なる面に設けられている。
【００３５】
同様に、好適には寄生金属アーム５２０の延伸長さは、信号給電金属アーム５３０の延伸長さよりも長い。寄生金属アーム５２０は、内蔵型デジタルテレビジョンアンテナ５００の受信効果を高めるために、補助金属アーム５４０をさらに含んでもよい。
【００３６】
内蔵型デジタルテレビジョンアンテナの寄生金属アームと信号給電金属アームとは、非金属基板の同一面または異なる面に設けられてもよい。寄生金属アームと信号給電金属アームとは、共平面または非共平面に設けられてもよい。寄生金属アームは、１つまたは複数の折り曲げ部を含んだ略階段状または略逆Ｌ字状にしてもよい。
【００３７】
上述の実施形態から分かるように、本発明は以下の長所を有する。本発明の内蔵型デジタルテレビジョンアンテナは、携帯装置の内部に設置し、４７０ＭＨｚ〜８７０ＭＨｚのデジタルテレビジョン周波数帯を受信することが可能な上、内蔵型デジタルテレビジョンアンテナを立体構造にすることにより、携帯装置内を占有する空間を低減させることができる。
【００３８】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【図面の簡単な説明】
【００３９】
【図１】本発明の第１実施形態による内蔵型デジタルテレビジョンアンテナを示す斜視図である。
【図２】本発明の第１実施形態による内蔵型デジタルテレビジョンアンテナのリターンロスを測定した結果を示すグラフである。
【図３】本発明の第１実施形態による内蔵型デジタルテレビジョンアンテナの帯域と効率との関係を表すグラフである。
【図４】本発明の第２実施形態による内蔵型デジタルテレビジョンアンテナを示す斜視図である。
【図５】本発明の第３実施形態による内蔵型デジタルテレビジョンアンテナを示す斜視図である。
【図６】本発明の第４実施形態による内蔵型デジタルテレビジョンアンテナを示す斜視図である。
【図７】本発明の第５実施形態による内蔵型デジタルテレビジョンアンテナを示す斜視図である。
【符号の説明】
【００４０】
１００…内蔵型デジタルテレビジョンアンテナ、  １１０…非金属基板、  １１２…第１の側部、  １２０…寄生金属アーム、  １２２…折り曲げ部、  １２４…接地点、  １３０…信号給電金属アーム、  １３２…金属本体、  １３４…信号給電点、  １３６…延伸部、  １５０…接地板、  ２００…内蔵型デジタルテレビジョンアンテナ、  ２１０…非金属基板、  ２１２…第１の側部、  ２２０…寄生金属アーム、  ２２２…折り曲げ部、  ２３０…信号給電金属アーム、  ２３２…金属本体、  ２３４…信号給電点、  ２５０…接地板、  ３００…内蔵型デジタルテレビジョンアンテナ、  ３１０…非金属基板、  ３２０…寄生金属アーム、  ３２２…折り曲げ部、  ３３０…信号給電金属アーム、  ４００…内蔵型デジタルテレビジョンアンテナ、  ４１０…非金属基板、  ４２０…寄生金属アーム、  ４２５…寄生金属アームの一部、  ４３０…信号給電金属アーム、  ５００…内蔵型デジタルテレビジョンアンテナ、  ５１０…非金属基板、  ５１４…貫通孔、  ５２０…寄生金属アーム、  ５３０…信号給電金属アーム、  ５４０…補助金属アーム、  Ｌ１…延伸長さ、  Ｌ２…延伸長さ。
【図１】
2010016790.tif 000003
【図２】
2010016790.tif 000004
【図３】
2010016790.tif 000005
【図４】
2010016790.tif 000006
【図５】
2010016790.tif 000007
【図６】
2010016790.tif 000008
【図７】
2010016790.tif 000009